(57)【要約】【課題】消費電力を抑えながら、ワンセグ放送とフルセグ放送との切替えを適切なタイミングで行う。【解決手段】制御部は、ワンセグ放送の受信品質に基づいて、ワンセグＣＮＲが閾値ＣＮＲ＿ｃｎｔを超えている時間に相当するカウント値ｉが、閾値Ｃｎｔ＿ｔｈを超えたか否かを判別する（ステップＳ８０４）。制御部は、この判別が肯定された場合（ステップＳ８０４；Ｙｅｓ）にフルセグチューナ部を起動させる（ステップＳ８０５）。制御部は、フルセグチューナ部１６０から出力されるフルセグデータの受信品質が所定の基準よりも良好であるか否かを判別する（ステップＳ８０６、Ｓ８０７）。この判別が否定された場合（ステップＳ８０７；Ｎｏ）、制御部は、フルセグチューナ部を停止し（ステップＳ８０９）、閾値Ｃｎｔ＿ｔｈを１増やす（ステップＳ８１０）。【選択図】図８
2011103539.tif 000002
【特許請求の範囲】
【請求項１】
第１の放送を受信し復調する第１のチューナと、
前記第１の放送よりも高品質な第２の放送を受信し復調する第２のチューナと、
前記第１の放送と前記第２の放送とのいずれかを再生する再生手段と、
を備えるテレビジョン装置を制御する制御装置であって、
前記第１の放送の受信品質に基づいて、前記第２のチューナを起動するための起動条件が満たされるか否かを所定のタイミングで判別する第１の判別手段と、
前記第１の判別手段における判別が肯定された場合に前記第２のチューナを起動させる起動手段と、
起動した前記第２のチューナから出力される前記第２の放送の受信品質が所定の基準よりも良好であるか否かを所定のタイミングで判別する第２の判別手段と、
前記第２の判別手段による判別が否定された場合、前記第１の判別手段における前記起動条件を調整する調整手段と、
を備える制御装置。
【請求項２】
前記第２の判別手段による判別が否定された場合、前記第２のチューナを停止させる停止手段をさらに備える、
ことを特徴とする請求項１に記載の制御装置。
【請求項３】
前記調整手段は、
前記起動手段が前記第２のチューナを起動させた後に、前記第２の判別手段による判別が否定された場合、前記起動条件を、前記第１の判別手段における判別が肯定されにくい方向に調整する、
ことを特徴とする請求項１又は２に記載の制御装置。
【請求項４】
前記調整手段は、
前記第１の放送の受信品質が、前記起動条件を満たさないが、前記起動条件に準ずるより緩やかな別の条件を満たす場合、
前記起動条件を、前記第１の判別手段における判別が肯定されにくい方向に調整する、
ことを特徴とする請求項１乃至３のいずれか一項に記載の制御装置。
【請求項５】
前記起動条件には、
上限値及び下限値の少なくとも一方が設けられている、
ことを特徴とする請求項１乃至４のいずれか一項に記載の制御装置。
【請求項６】
前記再生手段は、
前記第１の放送を優先的に再生する第１のテレビ優先モードと、
前記第２の放送を優先的に再生する第２のテレビ優先モードと、を動作モードとして有しており、
前記調整手段は、
前記第１のテレビ優先モードが設定されている場合、前記起動条件を、前記第１の判別手段における判別が肯定されにくい方向に調整し、
前記第２のテレビ優先モードが設定されている場合、前記起動条件を、前記第１の判別手段における判別が肯定されやすい方向に調整する、
ことを特徴とする請求項１乃至５のいずれか一項に記載の制御装置。
【請求項７】
前記第１の判別手段は、
前記第１の放送の受信品質が、閾値よりも、特定期間連続して良好であることを前記起動条件として判別を行い、
前記調整手段は、
前記第１の判別手段における判別が肯定されにくい方向に調整する場合には、前記特定期間を長くし、
前記第１の判別手段における判別が肯定されやすい方向に調整する場合には、前記特定期間を短くする、
ことを特徴とする請求項１乃至６のいずれか一項に記載の制御装置。
【請求項８】
前記第１の判別手段は、
前記第１の放送の受信品質が、閾値よりも、特定期間連続して良好であることを前記起動条件として判別を行い、
前記調整手段は、
前記第１の判別手段における判別が肯定されにくい方向に調整する場合には、前記閾値を高くし、
前記第１の判別手段における判別が肯定されやすい方向に調整する場合には、前記閾値を低くする、
ことを特徴とする請求項１乃至７のいずれか一項に記載の制御装置。
【請求項９】
前記第１の放送の受信品質は、
そのデータに含まれる搬送波電力に対する雑音電力の比と、ビットエラー率と、放送信号の電界強度との少なくとも１つである、
ことを特徴とする請求項１乃至８のいずれか一項に記載の制御装置。
【請求項１０】
請求項１乃至９のいずれか一項に記載の制御装置を備える携帯端末。
【請求項１１】
第１の放送を受信し復調する第１のチューナと、
前記第１の放送よりも高品質な第２の放送を受信し復調する第２のチューナと、
前記第１の放送と前記第２の放送とのいずれかを再生する再生手段と、
を備えるテレビジョン装置を制御する制御方法であって、
前記第１の放送の受信品質に基づいて、前記第２のチューナを起動するための起動条件が満たされるか否かを所定のタイミングで判別する第１の判別工程と、
前記第１の判別工程における判別が肯定された場合に前記第２のチューナを起動させる起動工程と、
起動した前記第２のチューナから出力される前記第２の放送の受信品質が所定の基準よりも良好であるか否かを所定のタイミングで判別する第２の判別工程と、
前記第２の判別工程における判別が否定された場合、前記第１の判別工程における前記起動条件を調整する調整工程と、
を含む制御方法。
【請求項１２】
第１の放送を受信し復調する第１のチューナと、
前記第１の放送よりも高品質な第２の放送を受信し復調する第２のチューナと、
前記第１の放送と前記第２の放送とのいずれかを再生する再生手段と、
を備えるテレビジョン装置を制御するコンピュータを、
前記第１の放送の受信品質に基づいて、前記第２のチューナを起動するための起動条件が満たされるか否かを所定のタイミングで判別する第１の判別手段と、
前記第１の判別手段における判別が肯定された場合に前記第２のチューナを起動させる起動手段と、
起動した前記第２のチューナから出力される前記第２の放送の受信品質が所定の基準よりも良好であるか否かを所定のタイミングで判別する第２の判別手段と、
前記第２の判別手段による判別が否定された場合、前記第１の判別手段における前記起動条件を調整する調整手段と、
して機能させるプログラム。
【発明の詳細な説明】
【技術分野】
【０００１】
本発明は、デジタル放送（例えば、地上波デジタル放送）の放送信号を受信して復調するテレビジョン装置を制御する制御装置と、前記制御装置を備える携帯端末と、デジタル放送の放送信号を受信して復調するテレビジョン装置を制御する制御方法と、コンピュータを前記制御装置として機能させるプログラムと、に関する。
【背景技術】
【０００２】
地上波デジタル放送の放送信号を受信する放送受信装置は、放送信号をトランスポートストリーム（ＴＳ）に復調するチューナを備えている。チューナにより復調されたＴＳから各種パケットが分離された後、そのパケットをデコーダがデコードすることにより、映像音声が出力される。
【０００３】
地上波デジタル放送では、１つの放送局に割り当てられた周波数帯が、１３個のセグメントに分割されている。各放送局は、そのうち１つのセグメントを用いてワンセグ放送を伝送し、残りの１２個のセグメントを用いて固定テレビ向けの放送を伝送している。
【０００４】
固定テレビ向けの放送では、１２セグメントを全て用いてハイビジョン放送が１番組だけ伝送される場合と、ＳＤ品質のスタンダード放送が複数番組伝送される場合とがある。なお、固定テレビ向けの放送では、ワンセグ放送に用いられるセグメントに含まれるデータを一部用いる場合がある。
【０００５】
ワンセグ放送は、携帯端末向けに規格化されている。ワンセグ放送は、固定テレビ用の放送に比べて、受信感度が低い状態でも放送信号を正常に受信できるという特徴がある。
【０００６】
そこで、ハイビジョン放送の放送信号の受信中に受信状態が悪化すると、ワンセグ放送に切替えて受信を継続し、また、ワンセグ放送の受信中にハイビジョン放送の電波状態が回復したらハイビジョン放送に切替える選択手段を備える車載用デジタル放送受信装置が開示されている（例えば、特許文献１参照）。
【０００７】
さらに、消費電力を抑えるために、ハイビジョン放送を常時受信するチューナを起動して受信状況を監視するのではなく、ワンセグ放送を受信するチューナから出力されるＣＮＲ（Carrior to Noise Ratio、搬送波電力対雑音電力比）等の電波状況を用いてハイビジョン放送の受信状況を予測し、必要に応じて起動することも提案されている。この場合、ワンセグ放送視聴中にはワンセグ放送用のチューナが出力するＣＮＲを監視して、電波状況が良好であると判断できたらハイビジョン放送用のチューナを起動し、その後ハイビジョン放送用チューナが出力する電波状況を監視してハイビジョン放送に切替える処理が行われる。
【先行技術文献】
【特許文献】
【０００８】
【特許文献１】特開２００５−２７７８７３号公報
【発明の概要】
【発明が解決しようとする課題】
【０００９】
しかしながら、ワンセグ放送用チューナから出力されるＣＮＲの値は、マルチパスフェージング等の影響により、ハイビジョン放送の電波状況との相関性が低くなる場合がある。そのため、ワンセグ放送のＣＮＲの値を監視してハイビジョン放送用のチューナを起動しても、ハイビジョン放送に切替られるほど電波状況は良好ではないという状況が起こり得る。このような状況になると、ハイビジョン放送用チューナを起動してもハイビジョン放送には結局切替えることができず、電力を無駄に消費してしまうこととなる。
【００１０】
本発明は、上記実情を鑑みてなされたものであり、消費電力を抑えながら、チューナの切替えを適切なタイミングで行うことができる制御装置、制御方法、携帯端末及びプログラムを提供することを目的とする。
【課題を解決するための手段】
【００１１】
上記目的を達成するため、本発明の第１の観点に係る制御装置は、
第１の放送を受信し復調する第１のチューナと、
前記第１の放送よりも高品質な第２の放送を受信し復調する第２のチューナと、
前記第１の放送と前記第２の放送とのいずれかを再生する再生手段と、
を備えるテレビジョン装置を制御する制御装置であって、
前記第１の放送の受信品質に基づいて、前記第２のチューナを起動するための起動条件が満たされるか否かを所定のタイミングで判別する第１の判別手段と、
前記第１の判別手段における判別が肯定された場合に前記第２のチューナを起動させる起動手段と、
起動した前記第２のチューナから出力される前記第２の放送の受信品質が所定の基準よりも良好であるか否かを所定のタイミングで判別する第２の判別手段と、
前記第２の判別手段による判別が否定された場合、前記第１の判別手段における前記起動条件を調整する調整手段と、
を備える制御装置。
【００１２】
この場合、前記第２の判別手段による判別が否定された場合、前記第２のチューナを停止させる停止手段をさらに備える、
こととしてもよい。
【００１３】
また、前記調整手段は、
前記起動手段が前記第２のチューナを起動させた後に、前記第２の判別手段による判別が否定された場合、前記起動条件を、前記第１の判別手段における判別が肯定されにくい方向に調整する、
こととしてもよい。
【００１４】
また、前記調整手段は、
前記第１の放送の受信品質が、前記起動条件を満たさないが、前記起動条件に準ずるより緩やかな別の条件を満たす場合、
前記起動条件を、前記第１の判別手段における判別が肯定されにくい方向に調整する、
こととしてもよい。
【００１５】
また、前記起動条件には、
上限値及び下限値の少なくとも一方が設けられている、
こととしてもよい。
【００１６】
また、前記再生手段は、
前記第１の放送を優先的に再生する第１のテレビ優先モードと、
前記第２の放送を優先的に再生する第２のテレビ優先モードと、を動作モードとして有しており、
前記調整手段は、
前記第１のテレビ優先モードが設定されている場合、前記起動条件を、前記第１の判別手段における判別が肯定されにくい方向に調整し、
前記第２のテレビ優先モードが設定されている場合、前記起動条件を、前記第１の判別手段における判別が肯定されやすい方向に調整する、
こととしてもよい。
【００１７】
また、前記第１の判別手段は、
前記第１の放送の受信品質が、閾値よりも、特定期間連続して良好であることを前記起動条件として判別を行い、
前記調整手段は、
前記第１の判別手段における判別が肯定されにくい方向に調整する場合には、前記特定期間を長くし、
前記第１の判別手段における判別が肯定されやすい方向に調整する場合には、前記特定期間を短くする、
こととしてもよい。
【００１８】
また、前記第１の判別手段は、
前記第１の放送の受信品質が、閾値よりも、特定期間連続して良好であることを前記起動条件として判別を行い、
前記調整手段は、
前記第１の判別手段における判別が肯定されにくい方向に調整する場合には、前記閾値を高くし、
前記第１の判別手段における判別が肯定されやすい方向に調整する場合には、前記閾値を低くする、
こととしてもよい。
【００１９】
また、前記第１の放送の受信品質は、
そのデータに含まれる搬送波電力に対する雑音電力の比と、ビットエラー率と、放送信号の電界強度との少なくとも１つである、
こととしてもよい。
【００２０】
また、本発明の第２の観点に係る携帯端末は、
本発明の制御装置を備える。
【００２１】
また、本発明の第３の観点に係る制御方法は、
第１の放送を受信し復調する第１のチューナと、
前記第１の放送よりも高品質な第２の放送を受信し復調する第２のチューナと、
前記第１の放送と前記第２の放送とのいずれかを再生する再生手段と、
を備えるテレビジョン装置を制御する制御方法であって、
前記第１の放送の受信品質に基づいて、前記第２のチューナを起動するための起動条件が満たされるか否かを所定のタイミングで判別する第１の判別工程と、
前記第１の判別工程における判別が肯定された場合に前記第２のチューナを起動させる起動工程と、
起動した前記第２のチューナから出力される前記第２の放送の受信品質が所定の基準よりも良好であるか否かを所定のタイミングで判別する第２の判別工程と、
前記第２の判別工程における判別が否定された場合、前記第１の判別工程における前記起動条件を調整する調整工程と、
を含む。
【００２２】
また、本発明の第４の観点に係るプログラムは、
第１の放送を受信し復調する第１のチューナと、
前記第１の放送よりも高品質な第２の放送を受信し復調する第２のチューナと、
前記第１の放送と前記第２の放送とのいずれかを再生する再生手段と、
を備えるテレビジョン装置を制御するコンピュータを、
前記第１の放送の受信品質に基づいて、前記第２のチューナを起動するための起動条件が満たされるか否かを所定のタイミングで判別する第１の判別手段と、
前記第１の判別手段における判別が肯定された場合に前記第２のチューナを起動させる起動手段と、
起動した前記第２のチューナから出力される前記第２の放送の受信品質が所定の基準よりも良好であるか否かを所定のタイミングで判別する第２の判別手段と、
前記第２の判別手段による判別が否定された場合、前記第１の判別手段における前記起動条件を調整する調整手段と、
して機能させる。
【発明の効果】
【００２３】
本発明によれば、第１の放送の視聴中に、第２のチューナを起動するための起動条件が満たされると、第２のチューナを起動する。第２のチューナを起動しても第２の放送の電波状況が所定の基準よりも良好ではなかった場合、調整手段は、第２のチューナを起動するための起動条件を調整する。これにより、その第２のチューナの起動条件を、第２の放送の受信状況に即したものに調整することができる。このため、消費電力を抑えながら、チューナの切替えを適切なタイミングで行うことができる。
【図面の簡単な説明】
【００２４】
【図１】本発明の実施形態１に係る制御装置を備える携帯端末を開いた状態で正面から見たときの外観図である。
【図２】図１の携帯端末の回路構成を示すブロック図である。
【図３】図３（Ａ）は、図１の携帯端末を構成するワンセグ復調・デコード部の構成を示すブロック図である。図３（Ｂ）は、図１の携帯端末を構成するフルセグ復調・デコード部の構成を示すブロック図である。
【図４】ワンセグとフルセグそれぞれの放送信号が受信可能なエリアの一例を説明するための模式図である。
【図５】図５（Ａ）及び図５（Ｂ）は、フルセグＢＥＲ又はワンセグＣＮＲの時間変化の一例である。
【図６】図１の携帯端末におけるフルセグ映像出力処理のフローチャートである。
【図７】デジタル放送のセグメントを説明するための図である。
【図８】図１の携帯端末におけるワンセグ→フルセグ切替え処理のフローチャートである。
【図９】本発明の実施形態２に係る携帯端末におけるワンセグ→フルセグ切替え処理のフローチャートである。
【図１０】本発明の実施形態３に係る携帯端末におけるワンセグ→フルセグ切替え処理のフローチャートである。
【図１１】本発明の実施形態４に係る携帯端末の回路構成を示すブロック図である。
【図１２】閾値範囲テーブル１１００の内容を示した図である。
【図１３】本発明の実施形態４に係る携帯端末におけるワンセグ→フルセグ切替え判定処理のフローチャートである。
【発明を実施するための形態】
【００２５】
以下、本発明の実施形態について、図面を参照して詳細に説明する。以下の実施形態では、第１の放送をワンセグ放送であるものとし、第１の放送よりもデータ量の多い高品質な第２の放送をハイビジョン放送（又はフルセグ放送）であるものとして説明する。
【００２６】
また、本実施形態は、スタンダード放送もハイビジョン放送と同様に扱う。本実施形態では、第２の放送、すなわち１２セグメントを用いた放送を総称してハイビジョン放送と呼ぶこととする。ハイビジョン放送では、ワンセグ放送のセグメントに含まれるデータが用いられる場合がある。
【００２７】
（実施形態１）
まず、本発明の実施形態１について説明する。
【００２８】
本実施形態に係る制御装置を備える携帯端末１は、コンテンツ受信機能及びコンテンツ再生機能を備える。例えば、携帯端末１は、図１に示すように、折り畳み型のものであってもよい。携帯端末１は、任意のコンテンツを受信可能である。本実施形態では、ワンセグ放送及びハイビジョン放送のコンテンツ（番組）を受信する場合の携帯端末１の構成及び動作について説明する。
【００２９】
図１に示すように、携帯端末１は、キーボード２、表示パネル５、通話用マイク６、通話用スピーカ７及びスピーカ８等を備えている。
【００３０】
キーボード２は、ユーザによって操作される。キーボード２は、様々なデータや指示の入力に使用される。キーボード２は、カーソルキー３と切替えボタン４とその他各種のボタンとを備えている。
【００３１】
カーソルキー３とその他各種のボタンとは、例えば、チャンネルの選択等の指示の入力に使用される。切替えボタン４は、例えば、再生する放送の切替えの入力に用いられる。
【００３２】
表示パネル５は、例えば、ドットマトリクスタイプのＬＣＤ（液晶表示）パネル等である。表示パネル５は、任意の情報（例えば、放送番組の映像、字幕、データ放送等）を表示する。
【００３３】
通話用マイク６は、通話音声を入力する。通話の際には、ユーザはこの通話用マイク６に口を近づける。
【００３４】
通話用スピーカ７は、受話音声を出力する。通話の際には、ユーザはこの通話用スピーカ７に耳を近づける。
【００３５】
スピーカ８は、コンテンツ再生時（ワンセグ又はハイビジョン放送の再生時）の音声等を出力する。
【００３６】
次に、携帯端末１の回路構成について説明する。携帯端末１は、図２に示すように、制御部１１、記憶部１２、操作部１３、表示部１４、ワンセグ復調・デコード部１５、フルセグ復調・デコード部１６、音声出力部１７、音声入力部１８、通信部１９、バス２０、タイマ２４及びアンテナ３１を備える。
【００３７】
制御部１１は、マイクロプロセッサユニット等を備えている。制御部１１は、携帯端末１全体の動作（各部の動作）を統括制御する。
【００３８】
例えば、制御部１１は、復調した放送信号に基づくデータの放送の再生を制御する。放送信号に基づくデータは、映像データ等であり、放送データそのものであってもよい。放送データは、例えば地上波デジタル放送の場合には、ＴＳ（Transport Stream）である。放送の再生には、各チューナ部が出力するＴＳをデコード等して加工されたデータを用いた再生も含まれる。さらに、制御部１１は、チャンネルの変更を制御する。
【００３９】
また、制御部１１は、各種のデータ（映像、字幕文、データ放送等）を、表示部１４（表示パネル５）に表示させる。また、制御部１１は、例えば、ワンセグ復調・デコード部１５を構成するワンセグチューナ部１５０と、フルセグ復調・デコード部１６を構成するフルセグチューナ部１６０への電力の供給（電源のオン・オフ）を制御し、ワンセグチューナ部１５０の動作とフルセグチューナ部１６０の動作とを制御する。このワンセグチューナ部１５０及びフルセグチューナ部１６０については後述する。
【００４０】
記憶部１２は、ＲＡＭ、補助記憶装置等の記憶装置を備えている。記憶部１２は、携帯端末１に内蔵されるメモリを備えていてもよいし、取り外し可能な外部メモリを備えていてもよいし、その両方を備えていてもよい。また、記憶部１２は、その機能の一部を、携帯端末１の外部に設けられた制御部１１からアクセス可能なメモリで実現するようにしてもよい。記憶部１２には、各種データ及び各種プログラムが格納される。また、記憶部１２には、制御部１１の作業領域も確保されている。
【００４１】
操作部１３は、前述のキーボード２（カーソルキー３、切替ボタン４等）を備えている。操作部１３は、ユーザからの操作に対応した操作信号を制御部１１に出力する。
【００４２】
表示部１４は、表示パネル５及びそのドライバ回路（不図示）等を備えている。表示部１４では、制御部１１の制御の下、ドライバ回路の駆動により表示パネル５に映像が表示される。
【００４３】
ワンセグ復調・デコード部１５は、図３（Ａ）に示すように、第１のチューナとしてのワンセグチューナ部１５０と、ワンセグデコード部１５９と、を備える。ワンセグチューナ部１５０は、アンテナ３１を介して受信した放送信号からワンセグ放送のＴＳを復調し、復調信号のＴＳをワンセグデコード部１５９に出力する。ワンセグデコード部１５９は、復調信号のＴＳを分離・復号処理し、映像データ、音声データ、字幕データなどを出力する。
【００４４】
ワンセグチューナ部１５０は、具体的には例えば、図３（Ａ）に示すように、受信器１５１、ＣＮＲ測定器１５２、復調器１５３及びＢＥＲ（Bit Error Rate）測定器１５４を備えている。ワンセグチューナ部１５０は、ＣＮＲ出力線１５５、ＢＥＲ出力線１５６、ＴＳ出力線１５７などと接続されている。
【００４５】
受信器１５１は、アンテナ３１から入力された放送信号から、制御部１１によって指定された信号を、ＲＦ（Radio Frequency）信号として取り出す。受信器１５１は、取り出したＲＦ信号を、ＣＮＲ測定器１５２を介して復調器１５３に出力する。ＲＦ信号として取り出されるのは、例えばユーザによって指定されたチャンネルのワンセグ放送に対応する所定幅の周波数帯域の信号である。
【００４６】
ＣＮＲ測定器１５２は、ＲＦ信号を用いてＣＮＲ値を求め、求めたＣＮＲ値をＣＮＲ出力線１５５を介して制御部１１に出力するか、又は記憶部１２に格納する。記憶部１２に格納されたＣＮＲ値は、結果的に、制御部１１によって読み取られる。そこで、本実施形態では、「制御部１１に出力する」といった場合には、記憶部１２を介して制御部１１に出力される場合をも含むものとする。また、以下では、ＣＮＲ測定器１５２から出力されるＣＮＲ値を「ワンセグＣＮＲ」と呼ぶこともある。
【００４７】
復調器１５３には、受信器１５１が出力したＲＦ信号がＣＮＲ測定器１５２を介して入力される。復調器１５３は、入力されたＲＦ信号をＴＳに復調し、ワンセグ放送のＴＳをＢＥＲ測定器１５４に出力する。
【００４８】
ＢＥＲ測定器１５４は、入力されたワンセグ放送のＴＳに基づいて、ＢＥＲ値を測定した後、ＴＳをＴＳ出力線１５７に出力する。測定されたＢＥＲ値は、ＢＥＲ出力線１５６を介して制御部１１に出力される。以下、ＢＥＲ測定器１５４が出力するＢＥＲ値を「ワンセグＢＥＲ」と呼ぶこともある。
【００４９】
フルセグ復調・デコード部１６は、図３（Ｂ）に示すように、第２のチューナとしてのフルセグチューナ部１６０と、デスクランブル部１６８と、フルセグデコード部１６９と、を備える。
【００５０】
フルセグチューナ部１６０は、アンテナ３１を介して受信した電波を用いてフルセグ放送のＴＳを復調し、復調されたＴＳをデスクランブル部１６８に出力する。
【００５１】
デスクランブル部１６８は、フルセグチューナ部１６０から出力されたスクランブルのかかったＴＳの暗号を解読し、そのデータを平文化し、クリアテキストデータ（平文ＴＳ）としてフルセグデコード部１６９に出力する。
【００５２】
フルセグデコード部１６９は、デスクランブル部１６８が出力した平文ＴＳを分離・復号処理し、映像データ、音声データ、字幕データなどを出力する。
【００５３】
フルセグチューナ部１６０は、図３（Ｂ）に示すように、受信器１６１、ＣＮＲ測定器１６２、復調器１６３及びＢＥＲ測定器１６４を備える。フルセグチューナ部１６０は、ＣＮＲ出力線１６５、ＢＥＲ出力線１６６、ＴＳ出力線１６７などと接続されている。
【００５４】
受信器１６１は、アンテナ３１から入力された放送信号から制御部１１で指定された信号を、ＲＦ信号として取り出す。ＲＦ信号として取り出されるのは、例えばユーザが指定するチャンネルのフルセグ放送に対応する所定幅の周波数帯域の信号である。
【００５５】
フルセグチューナ部１６０は、ワンセグチューナ部１５０と同様の構成となっている。なお、以下、ＣＮＲ測定器１６２から出力されるＣＮＲ値を「フルセグＣＮＲ」と呼び、ＢＥＲ測定器１６４から出力されるＢＥＲ値を「フルセグＢＥＲ」と呼ぶことがある。
【００５６】
なお、ワンセグチューナ部１５０及びフルセグチューナ部１６０は、１個のＬＳＩ（Large Scale Integration）で構成されてもよいし、それぞれ別個のチューナによって構成されてもよい。ワンセグチューナ部１５０とフルセグチューナ部１６０とを１個のＬＳＩで構成する場合、このチューナは、ワンセグ放送のＴＳを復調・出力するワンセグモードと、ハイビジョン放送のＴＳを復調・出力するフルセグモードとの２つの動作モードを有する。
【００５７】
ワンセグモードは、ワンセグチューナ部１５０が動作するときの動作モードであり、ワンセグ放送を優先的に再生する動作モードである。また、フルセグモードは、フルセグチューナ部１６０が動作するときの動作モードであり、フルセグ放送を優先的に再生する動作モードである。この動作モードの切替えは、制御部１１によって制御される。制御部１１は、例えば、動作モードを示すレジスタの値を書き換えることにより、動作モードを切替える。
【００５８】
表示部１４（図２参照）は、ワンセグチューナ部１５０によって受信されるワンセグ放送又はフルセグチューナ部１６０によって受信されるフルセグ放送を再生する再生手段である。制御部１１（図２参照）は、ワンセグチューナ部１５０とフルセグチューナ部１６０とを切替えて、ワンセグ放送のＴＳ又はハイビジョン放送のＴＳのいずれかに基づいて、ワンセグ放送又はハイビジョン放送を再生するように表示部１４を制御する。
【００５９】
図２に戻り、音声出力部１７は、前述の通話用スピーカ７とスピーカ８、不図示のＤＡＣ（Digital Analog Converter）等を備える。音声出力部１７は、例えば、制御部１１の制御の下で再生されたコンテンツの音声信号にＤＡ変換を施して、アナログ信号に変換された音声をスピーカ８により出力する。
【００６０】
音声入力部１８は、通話時等に、音声信号を収集し、通信部１９に供給する。
【００６１】
通信部１９は、基地局を介して、通話音声、各種のデータ等を送受信する。
【００６２】
バス２０は、各部間で相互にデータを伝送する。
【００６３】
タイマ２４は、制御部１１を構成するマイクロプロセッサユニットなどに付属した機構である。タイマ２４は、一定の時間間隔で割り込みを発生させる。タイマ２４を調整すれば、制御部１１が割り込みを発生させる時間間隔を設定することができる。
【００６４】
アンテナ３１は、デジタル放送の放送信号を受信可能なアンテナである。アンテナ３１は、例えばＵＨＦ帯の電波やＶＨＦ帯の電波を受信するために必要な形状をしている。
【００６５】
次に、本実施形態に係る携帯端末１の動作について説明する。
【００６６】
（切替え処理の処理内容の概要）
例えば、図４に示すように、送出局４１は、放送信号を発信する基地局である。送出局４１から近いエリア４２は、送出局４１から送出される放送信号の電界強度が強いエリアであり、ハイビジョン放送の受信状況が良好な領域である。送出局４１を中心とする広範囲のエリア４３は、送出局４１から送出される放送信号の電界強度が弱いエリアであり、ワンセグ放送の受信状況が良好な領域である。当然、エリア４３は、エリア４２を含んでいる。
【００６７】
エリア４２では、携帯端末１は、フルセグ放送とワンセグ放送との両方を良好な状態で受信することが可能である。一方、エリア４３では、携帯端末１は、ワンセグ放送を良好な状態で受信し、表示することが可能である。
【００６８】
まず、エリア４２内から、エリア４２の外、かつ、エリア４３内に、携帯端末１が移動した場合について考える。この場合、ユーザがハイビジョン放送を受信して視聴している際にハイビジョン放送の受信状況が悪化すると、映像にブロックノイズが発生し、それ以上視聴を続けられなくなる。このため、携帯端末１は、同じチャンネルのワンセグ放送に切替えて表示する。これにより、ユーザは途切れることなく番組を視聴することができるので、使い勝手が向上する。
【００６９】
このような切替え制御を行うには、制御部１１は、ハイビジョン放送の受信中に、例えばＣＮＲ測定器１６２で測定されたフルセグＣＮＲ又は電界強度を取得し、取得された値が予め定められた閾値を超えたか否かを判定する。なお、電界強度を取得する場合には、フルセグ復調・デコード部１６等に、電界強度測定器を設ける必要がある。電界強度測定器は、例えば、図３（Ｂ）に示すＣＮＲ測定器１５２及びＣＮＲ測定器１６２の位置に設けられる。
【００７０】
そして、仮に、フルセグＣＮＲ又は電界強度が、所定の閾値未満の場合、制御部１１は、フルセグ放送からワンセグ放送に切替える。フルセグＣＮＲを用いる場合と電界強度を用いる場合とでは、閾値は異なる。
【００７１】
なお、制御部１１は、フルセグチューナ部１６０から出力されるフルセグＢＥＲを取得し、フルセグＢＥＲが予め定められた閾値未満であるかを判定するようにしてもよい。フルセグＢＥＲが、閾値以上になった場合は、制御部１１は、フルセグ放送からワンセグ放送に切替える。
【００７２】
さらに、ワンセグ視聴中に携帯端末１がエリア４２に入った場合、携帯端末１は、ハイビジョン放送を良好に受信できるので、視聴する放送を、ワンセグ放送からハイビジョン放送に切替えるようにすれば、より高品質な放送を視聴できる。
【００７３】
上記の処理のうち、フルセグＢＥＲを用いた処理内容を、図５（Ａ）を参照して簡単に説明する。
【００７４】
図５（Ａ）に示すように、閾値１４０は、フルセグＢＥＲがこれ以上である場合に、ハイビジョン放送からワンセグ放送に切替えるための閾値である。例えば、時刻ｔ１（又はｔ３）において、取得したフルセグＢＥＲは閾値１４０を超えているので、この時点で、制御部１１は、フルセグ放送からワンセグ放送に切替える。なお、ワンセグチューナ部１５０とフルセグチューナ部１６０との切替えにフルセグＢＥＲを用いることにより、より正確に各放送の受信状況を把握することができる。
【００７５】
（フルセグ→ワンセグ切替え処理の概要）
フルセグ放送からワンセグ放送への切替え処理について説明する。
【００７６】
この切替え処理において、制御部１１は、例えば、ワンセグチューナ部１５０の電源をオンにして起動し、ワンセグチューナ部１５０を動作させる。ワンセグチューナ部１５０は、アンテナ３１で受信された放送信号から、ワンセグ放送のＴＳを復調し出力する。出力されたＴＳは、ワンセグデコード部１５９に入力される。入力されたＴＳは、ワンセグデコード部１５９で復号されＹＵＶデータ等に変換される。
【００７７】
続いて、制御部１１は、フルセグデコード部１６９から出力されたＹＵＶデータの映像の表示を、表示部１４に停止させ、ワンセグデコード部１５９から出力されたＹＵＶデータの映像を、表示部１４に表示させる。その後、制御部１１は、フルセグチューナ部１６０の電源をオフにして、フルセグチューナ部１６０の動作を停止させる。
【００７８】
このようにして、制御部１１は、フルセグチューナ部１６０を動作させているときに、フルセグチューナ部１６０が出力するハイビジョン放送の受信品質を取得し、取得したフルセグ放送の受信品質が所定の基準を満たさない場合にワンセグチューナ部１５０を動作させるとともにフルセグチューナ部１６０の動作を停止させる。
【００７９】
続いて、制御部１１は、ワンセグ放送のＴＳに基づくワンセグ放送の再生を行う。なお、ここでは、フルセグチューナ部１６０から出力されるハイビジョン放送の受信品質は、フルセグＢＥＲであるが、フルセグＣＮＲ又は電解強度であってもよい。
【００８０】
なお、フルセグＣＮＲ又は電界強度を用いた切替え処理も、上述した切替え処理と同じような処理となる。ただし、フルセグＢＥＲの場合、制御部１１は、値がある閾値を超えた場合ではなく、値がある閾値未満になった場合に、フルセグ放送からワンセグ放送に切替える。
【００８１】
（ワンセグ→フルセグ切替え処理の概要）
制御部１１は、ワンセグ放送視聴中、例えば、図５（Ａ）に示すように、時刻ｔ２（又はｔ４）でフルセグＢＥＲが閾値１４０を下回ると、制御部１１は、ハイビジョン放送の受信状況が回復し、ハイビジョン放送への切替えが可能であると判別する。この場合、制御部１１は、フルセグチューナ部１６０の電源をオンにして起動し、フルセグチューナ部１６０を動作させ、ハイビジョン放送に切替える。
【００８２】
フルセグチューナ部１６０は、アンテナ３１を介して受信された放送信号から、ＴＳを復調して出力する。出力されたＴＳは、デスクランブル部１６８に入力され、スクランブルのかかったＴＳの暗号を解読し、データを平文にして、フルセグデコード部１６９に出力する。出力されたＴＳはフルセグデコード部１６９に入力される。入力されたＴＳはフルセグデコード部１６９で復号されＹＵＶデータ等に変換される。
【００８３】
そして、制御部１１は、ワンセグデコード部１５９によって復号されたＹＵＶデータの映像の表示等を表示部１４に停止させるとともに、フルセグデコード部１６９が出力するＹＵＶデータの映像を、表示部１４に表示等させる。
【００８４】
このようにして、制御部１１は、ハイビジョン放送のＴＳに基づくハイビジョン放送の再生を行う。その後、制御部１１は、ワンセグチューナ部１５０の電源をオフにし、ワンセグチューナ部１５０の動作を停止させる。
【００８５】
（フルセグ映像出力処理）
ここで、ハイビジョン放送の映像を出力するためのフルセグ映像出力処理について、図６のフローチャートを参照して、詳細に説明する。
【００８６】
フルセグチューナ部１６０にアンテナ３１を介して放送信号が入力されると、制御部１１の制御の下、フルセグチューナ部１６０は、復調処理を行い、ハイビジョン放送のＴＳを出力する（ステップＳ７０１）。
【００８７】
続いて、このＴＳにはコンテンツ保護のためにスクランブルがかかっているので、デスクランブル部１６８は、復号化処理を行って、平文ＴＳを出力する（ステップＳ７０２）。
【００８８】
続いて、フルセグデコード部１６９は、平文ＴＳをデコードする（ステップＳ７０３）。このデコード処理では、まず、ＴＳが、映像、音声、字幕、データ放送、ＰＳＩ／ＳＩ情報などのデータに分離された後、分離されたデータからそれぞれのエレメンタリストリーム（ＥＳ）が復号される。これにより、例えば、映像ＥＳはＹＵＶデータ（映像データ）に変換され、音声ＥＳは、ＰＣＭ（Pulse Code Modulation）データ（音声データ）に変換される。
【００８９】
続いて、制御部１１は、変換した各ＥＳを用いて、表示部１４への表示、スピーカ８からの出力等を行い、ハイビジョン放送の再生を行う（ステップＳ７０４）。
【００９０】
このようにして、制御部１１は、フルセグチューナ部１６０から出力されるハイビジョン放送のＴＳに基づくハイビジョン放送の再生を制御する。
【００９１】
（低消費電力化動作）
上述のように、本実施形態では、ハイビジョン放送視聴中には、フルセグＢＥＲを用いて、ハイビジョン放送からワンセグ放送への自動切替えができ、ワンセグ放送視聴中にはフルセグＢＥＲを把握（例えば予測）してハイビジョン放送受信可能判定処理を行うことができる。
【００９２】
ここで、フルセグＢＥＲやフルセグＣＮＲを用いて切替え判定処理を行う場合、常にフルセグチューナ部１６０の電源を入れてフルセグチューナ部１６０を動作させておくと、消費電力が増大してしまう。
【００９３】
一般的に、フルセグチューナ部１６０は、ワンセグチューナ部１５０に比べて消費電力が大きい。これは、図７に示すように、ハイビジョン放送はワンセグ放送の約１２倍の周波数帯域を使用していることや、ＴＳのビットレートが高く、データ処理量が多いことなどが理由として挙げられる。
【００９４】
なお、図７に示すように、フルセグ放送のセグメントと、ワンセグ放送のセグメントとは、一般的には別であるが、フルセグ放送ではワンセグ放送に使用されるセグメントに含まれるデータの一部が使用されることもある。
【００９５】
本実施形態に係る携帯端末１では、ワンセグチューナ部１５０を動作させる場合に、フルセグチューナ部１６０の動作を停止させるので、携帯端末１全体の消費電力を低減することができる。
【００９６】
また、本実施形態では、制御部１１は、ワンセグチューナ部１５０についても、常時起動（動作）させずに、ワンセグ放送を表示する場合だけ動作するように制御する。ワンセグチューナ部１５０は、フルセグチューナ部１６０ほど大きな消費電力を必要とするものではないが、本実施形態では、可能な限り、ワンセグチューナ部１５０の動作を停止させることにより、携帯端末１全体の消費電力を低減することができる。
【００９７】
（フルセグチューナの起動判定）
ワンセグ放送からフルセグ放送に切替える際の切替え処理のより詳細な流れについて説明する。
【００９８】
切替え処理では、大別して、ワンセグ放送視聴中にワンセグＣＮＲを用いたフルセグチューナ部１６０の起動判定処理と、その後のフルセグチューナ部１６０が出力するフルセグＢＥＲを用いたフルセグ放送視聴への切替え判定処理の２つの処理が実行される。
【００９９】
ここで、ワンセグＣＮＲの値は、マルチパスによるフェージングの影響等により、フルセグＣＮＲやフルセグＢＥＲと線形の相関性を有しない場合がある。この場合、ワンセグＣＮＲでは電波の状態が良いと判別されても、フルセグＢＥＲでは電波の状態はフルセグ放送に切替られるほど良くはないと判別されるという状況が起こり得る。
【０１００】
このような状況では、フルセグチューナ部１６０を起動してもフルセグ放送には切替えることができず、無駄な消費電力を使ってしまうことになる。そこで、本実施形態では、フルセグチューナ部１６０を起動してもフルセグ放送に切替わらなかった場合、フルセグチューナ部１６０を起動するための起動条件を調整する。
【０１０１】
なお、フルセグチューナ部１６０の起動判定基準は、予め試験を行って最適な値に調整しておくこともできるが、ユーザが移動することにより、携帯端末１の使用場所も変わるため、その最適な値が変化する可能性がある。これに対し、この切替え処理を行えば、フルセグチューナ部１６０の起動条件を、常時最適に保つことができる。
【０１０２】
電波状況が、放送信号の受信品質が図５（Ｂ）に示すように変動した場合における、制御部１１の切替え処理の処理内容について説明する。図５（Ｂ）に示すグラフにおいて、黒丸は、ワンセグＣＮＲの値、白丸はフルセグＢＥＲの値を示している。
【０１０３】
ワンセグ放送の視聴中に、時刻ｔ５から時刻ｔ６にかけて、ワンセグＣＮＲが閾値６０１を超えており、所定の時間間隔（例えば、サンプリング間隔の３倍）を満たしているので、制御部１１は、時刻ｔ６においてフルセグチューナ部１６０を起動する。
【０１０４】
そして、時刻ｔ７においてフルセグＢＥＲを取得するが、閾値１４０を下回っていないため、フルセグ放送への切替えは発生せず、フルセグチューナ部１６０を停止する。ここで、無駄なフルセグチューナ部１６０の起動を抑えるために、フルセグチューナ部１６０の起動条件を厳しい方に調整する。
【０１０５】
すなわち、ワンセグＣＮＲが閾値６０１を連続して満たさなければならない所定の時間間隔を長く（例えば、サンプリング間隔の４倍に）する。そして、時刻ｔ８から時刻ｔ９にかけてワンセグＣＮＲが閾値６０１を超えると、制御部１１は、再びフルセグチューナ部１６０を起動する。そして、時刻ｔ１０にてフルセグＢＥＲが閾値１４０を下回っているため、制御部１１は、フルセグ放送に切替える。
【０１０６】
以下、フルセグチューナ部１６０の起動判定及びフルセグ放送への切替え判定の処理（ワンセグ→フルセグ切替え処理）について、主として、図８のフローチャートを参照して説明する。
【０１０７】
まず、制御部１１は、ワンセグチューナ部１５０が出力するワンセグＣＮＲを取得する（ステップＳ８０１）。続いて、制御部１１は、取得したワンセグＣＮＲが閾値ＣＮＲ＿ｔｈを超えるか否かを判定する（ステップＳ８０２）。ワンセグＣＮＲが閾値ＣＮＲ＿ｔｈ以下である場合（ステップＳ８０２；Ｎｏ）、制御部１１は、カウンタ値ｉをリセットして（ステップＳ８１１）、再びワンセグＣＮＲを取得する（ステップＳ８０１）。すなわち、ワンセグＣＮＲが閾値ＣＮＲ＿ｔｈ以下である限り（ステップＳ８０２；Ｎｏ）、ステップＳ８０１→Ｓ８０２→Ｓ８１１が繰り返される。
【０１０８】
ワンセグＣＮＲが閾値ＣＮＲ＿ｔｈを超えた場合（ステップＳ８０２；Ｙｅｓ）、制御部１１は、カウンタ値ｉをインクリメントする（ステップＳ８０３）。ここで、カウンタ値ｉとは、プログラムの実行を制御するために制御部１１に設けられたカウンタの値である。カウンタ値ｉは、ワンセグＣＮＲが閾値ＣＮＲ＿ｔｈを連続して超えた回数（継続時間）を示す値である。
【０１０９】
続いて、制御部１１は、カウンタ値ｉが、閾値Ｃｎｔ＿ｔｈを超えたか否かを判定する（ステップＳ８０４）。ワンセグＣＮＲが閾値Ｃｎｔ＿ｔｈ以下である場合（ステップＳ８０４；Ｎｏ）、制御部１１は、再びワンセグＣＮＲを取得する（ステップＳ８０１）。ワンセグＣＮＲが閾値ＣＮＲ＿ｔｈよりも大きい状態が継続され（ステップＳ８０２；Ｙｅｓ）、ワンセグＣＮＲが閾値Ｃｎｔ＿ｔｈ以下である限り（ステップＳ８０４；Ｎｏ）、ステップＳ８０１→Ｓ８０２→Ｓ８０３→Ｓ８０４が繰り返される。
【０１１０】
この繰り返し中に、ワンセグＣＮＲが閾値ＣＮＲ＿ｔｈ以下になると（ステップＳ８０２；Ｎｏ）、制御部１１は、カウンタ値ｉをリセットして（ステップＳ８１１）、再びワンセグＣＮＲを取得する（ステップＳ８０１）。一方、ワンセグＣＮＲが閾値Ｃｎｔ＿ｔｈを継続して超えている間は、カウンタ値ｉがインクリメントされ（ステップＳ８０３）、大きくなっていく。
【０１１１】
カウンタ値ｉが、閾値Ｃｎｔ＿ｔｈを超えると（ステップＳ８０４；Ｙｅｓ）、制御部１１は、フルセグチューナ部１６０を起動する（ステップＳ８０５）。
【０１１２】
フルセグチューナ部１６０を起動後、制御部１１は、フルセグ放送切替え判定処理を行う（ステップＳ８０６）。この処理で、フルセグ放送への切替えが可能と判断された場合（ステップＳ８０７；Ｙｅｓ）、制御部１１は、フルセグ放送へ切替える（ステップＳ８０８）。
【０１１３】
一方、フルセグ放送への切替えができないと判定された場合（ステップＳ８０７；Ｎｏ）、制御部１１は、フルセグチューナ部１６０の動作を停止し（ステップＳ８０９）、閾値Ｃｎｔ＿ｔｈの値を１増やす（ステップＳ８１０）。
【０１１４】
以上詳細に説明したように、本実施形態によれば、ワンセグ放送の視聴中に、フルセグチューナ部１６０を起動するための起動条件が満たされると、フルセグチューナ部１６０を起動する。フルセグチューナ部１６０を起動してもフルセグ放送の電波品質が所定の基準よりも良好ではなかった場合、制御部１１は、フルセグチューナ部１６０を起動するための起動条件（閾値）を調整する（ステップＳ８１０）。これにより、フルセグチューナ部１６０の起動条件を、フルセグ放送の放送信号の受信状況に即したものに調整することができる。このため、携帯端末の消費電力を抑えながら、チューナの切替えを適切なタイミングで行うことができる。
【０１１５】
より具体的には、本実施形態では、フルセグチューナ部１６０を起動させた後に、フルセグ放送の受信品質が所定の基準を満たさなかった場合に、閾値Ｃｎｔ＿ｔｈを１増やし、フルセグチューナ部１６０が起動し難い方に、起動条件を調整する。これにより、フルセグ放送の受信品質が低い状態で、フルセグチューナ部１６０が起動させる頻度を低減することができる。
【０１１６】
これにより、ワンセグＣＮＲがより長い時間連続して閾値ＣＮＲ＿ｔｈを超えた場合にのみ、フルセグチューナ部１６０が起動され、フルセグ放送に切替えられるようになる。この結果、フルセグ放送が視聴可能な電波状況ではない場合に、フルセグチューナ部１６０が無駄に起動する頻度を低減することができるようになるうえ、消費電力を低減することができるようになる。
【０１１７】
（実施形態２）
次に、本発明の実施形態２について説明する。
【０１１８】
上記実施形態１では、フルセグチューナ部１６０を起動してもフルセグ放送への切替えができなかった場合、すなわち無駄にフルセグチューナ部１６０を起動させてしまった場合、制御部１１は、フルセグチューナ部１６０の起動する条件を厳しくした。
【０１１９】
しかしながら、電波状況によっては、フルセグチューナ部１６０を起動してもフルセグ放送への切替えができずに、閾値Ｃｎｔ＿ｔｈが大きくなりすぎてしまう可能性がある。この場合、ワンセグＣＮＲが閾値ＣＮＲ＿ｔｈを連続して超えた回数を示すカウンタ値ｉが閾値Ｃｎｔ＿ｔｈに達する頻度が低減する。この結果、フルセグチューナ部１６０が起動し難くなり、フルセグへの切替えタイミングが遅れてしまう可能性がある。
【０１２０】
そこで、本実施形態にかかる携帯端末１では、ワンセグＣＮＲが閾値ＣＮＲ＿ｔｈを継続して超えていた時間が、閾値Ｃｎｔ＿ｔｈ２よりも長くなった場合に、制御部１１は、閾値Ｃｎｔ＿ｔｈを１減らす。閾値Ｃｎｔ＿ｔｈ２は、閾値Ｃｎｔ＿ｔｈより小さいが、閾値Ｃｎｔ＿ｔｈに近傍の閾値である。
【０１２１】
本実施形態に係る携帯端末１における、ワンセグ→フルセグの切替え処理について図９のフローチャートを参照して説明する。図９に示すように、本実施形態に係る携帯端末１におけるワンセグ→フルセグの切替え処理では、ワンセグＣＮＲが閾値ＣＮＲ＿ｔｈを超えていないと判定された場合（ステップＳ８０２；Ｎｏ）、ステップＳ８１１の実行前に、以下に示す処理を行う点が、上記実施形態１と異なる。
【０１２２】
図９に示すように、まず、制御部１１は、ワンセグＣＮＲを取得する（ステップＳ８０１）。ワンセグＣＮＲが閾値ＣＮＲ＿ｔｈ以下である場合（ステップＳ８０２；Ｎｏ）、制御部１１は、カウンタ値ｉが閾値Ｃｎｔ＿ｔｈ２を超えるか否かを判定する（ステップＳ９０１）。
【０１２３】
カウンタ値ｉが閾値Ｃｎｔ＿ｔｈ２よりも大きい場合にのみ（ステップＳ９０１；Ｙｅｓ）、制御部１１は、閾値Ｃｎｔ＿ｔｈを１減らす（ステップＳ９０２）。
【０１２４】
ステップＳ９０１又はステップＳ９０２実行後、制御部１１は、カウンタ値ｉをリセットする（ステップＳ８１１）。
【０１２５】
以上詳細に説明したように、本実施形態によれば、ワンセグＣＮＲが閾値ＣＮＲ＿ｔｈ以下で、かつ、カウンタ値ｉが閾値Ｃｎｔ＿ｔｈ２より大きい場合には、閾値Ｃｎｔ＿ｔｈを１減らすので、閾値Ｃｎｔ＿ｔｈが大きくなりすぎてフルセグチューナ部１６０が起動し難くなくなり、フルセグ放送への切替えタイミングが遅れてしまうのを防止することができる。
【０１２６】
（実施形態３）
次に、本発明の実施形態３について説明する。
【０１２７】
上記各実施形態に係る携帯端末１では、閾値Ｃｎｔ＿ｔｈの設定範囲に特に制限はなく、電波状況によっては増え続けたり、減り続けてしまうこともあり得る。これに対し、本実施形態３に係る携帯端末１では、閾値Ｃｎｔ＿ｔｈの上限値Ｃｎｔ＿ｔｈ＿ｍａｘと下限値Ｃｎｔ＿ｔｈ＿ｍｉｎとを規定している。上限値Ｃｎｔ＿ｔｈ＿ｍａｘと下限値Ｃｎｔ＿ｔｈ＿ｍｉｎは、記憶部１２に格納されている。
【０１２８】
本実施形態に係る携帯端末１に係るワンセグ→フルセグ切替え処理について、図１０のフローチャートを参照して説明する。
【０１２９】
図１０に示すように、制御部１１は、上記実施形態２と同様に、ワンセグＣＮＲを取得（ステップＳ８０１）、ワンセグＣＮＲと閾値ＣＮＲ＿ｔｈとの比較判定（ステップＳ８０２）を行う。
【０１３０】
ワンセグＣＮＲが閾値ＣＮＲ＿ｔｈを超えず（ステップＳ８０２；Ｎｏ）、カウンタ値ｉが閾値Ｃｎｔ＿ｔｈ２を超えた場合（ステップＳ９０１；Ｙｅｓ）、制御部１１は、閾値Ｃｎｔ＿ｔｈと下限値Ｃｎｔ＿ｔｈ＿ｍｉｎとを比較する（ステップＳ１００１）。
【０１３１】
閾値Ｃｎｔ＿ｔｈが下限値Ｃｎｔ＿ｔｈ＿ｍｉｎよりも大きい場合（ステップＳ１００１；Ｙｅｓ）、制御部１１は、閾値Ｃｎｔ＿ｔｈを１減らす（ステップＳ９０２）。その後、制御部１１は、カウンタ値ｉをリセットする（ステップＳ８１１）。
【０１３２】
一方、閾値Ｃｎｔ＿ｔｈが下限値Ｃｎｔ＿ｔｈ＿ｍｉｎ以下である場合（ステップＳ１００１；Ｎｏ）、制御部１１は、カウンタ値ｉをリセットする（ステップＳ８１１）。これにより、閾値Ｃｎｔ＿ｔｈは、その下限値Ｃｎｔ＿ｔｈ＿ｍｉｎのままとなる。
【０１３３】
また、フルセグチューナ部１６０を起動した後（ステップＳ８０５）、フルセグ放送切替え判定処理を行い（ステップＳ８０６）、フルセグ放送に切替えないと判定されると（ステップＳ８０７；Ｎｏ）、制御部１１は、フルセグチューナ部１６０を停止する（ステップＳ８０９）。
【０１３４】
続いて、制御部１１は、閾値Ｃｎｔ＿ｔｈが上限値Ｃｎｔ＿ｔｈ＿ｍａｘよりも小さいか否かを判定する（ステップＳ１００２）。閾値Ｃｎｔ＿ｔｈが上限値Ｃｎｔ＿ｔｈ＿ｍａｘよりも小さい場合（ステップＳ１００２；Ｙｅｓ）、制御部１１は、閾値Ｃｎｔ＿ｔｈを１増やす（ステップＳ８１０）。その後、制御部１１は、処理を終了する。
【０１３５】
一方、閾値Ｃｎｔ＿ｔｈが上限値Ｃｎｔ＿ｔｈ＿ｍａｘ以上であれば（ステップＳ１００２；Ｎｏ）、制御部１１は、処理を終了する。これにより、閾値Ｃｎｔ＿ｔｈは、上限値Ｃｎｔ＿ｔｈ＿ｍａｘのままとなる。
【０１３６】
以上詳細に説明したように、本実施形態によれば、特定の時間の下限値Ｃｎｔ＿ｔｈ＿ｍｉｎと上限値Ｃｎｔ＿ｔｈ＿ｍａｘとを設けることにより、カウンタ値ｉの閾値Ｃｎｔ＿ｔｈが、どこまでも増え続けたり、減り続けたりすることを防止することができる。
【０１３７】
（実施形態４）
次に、本発明の実施形態４について説明する。
【０１３８】
上記実施形態３に係る携帯端末１では、上限値Ｃｎｔ＿ｔｈ＿ｍａｘ及び下限値Ｃｎｔ＿ｔｈ＿ｍｉｎが固定であった。しかしながら、電波状況によっては閾値Ｃｎｔ＿ｔｈの変動の仕方が悪く、フルセグチューナ部１６０が無駄に起動してしまって、かつ、フルセグ放送への切替えが遅くなってしまう可能性がある。
【０１３９】
また、ユーザによっては消費電力が大きくなっても、フルセグ放送優先で視聴したい場合や、逆に画質は犠牲にしてワンセグ放送でもいいから長時間視聴したいというユーザの要望がある。
【０１４０】
そこで、このようなユーザの要望に対応するために、本実施形態４の携帯端末１では動作モードが設定されている。動作モードには、例えばフルセグ優先モード、ワンセグ優先モードの２種類がある。
【０１４１】
フルセグ優先モードでは、フルセグ放送に早く切替るために閾値Ｃｎｔ＿ｔｈが小さめに設定される。また、ワンセグ優先モードでは、消費電力をなるべく抑えるために、フルセグチューナ部１６０が頻繁に起動されないように、閾値Ｃｎｔ＿ｔｈが大きめに設定される。
【０１４２】
本実施形態４の携帯端末１では、図１１に示すように、記憶部１２に閾値範囲テーブル１１００が格納されている。閾値範囲テーブル１１００には、図１２に示すように、ワンセグ優先モードとフルセグ優先モードでのそれぞれの下限値Ｃｎｔ＿ｔｈ＿ｍｉｎ及び上限値Ｃｎｔ＿ｔｈ＿ｍａｘが設定されている。図１２に示すように、フルセグ優先モードでは、上限値Ｃｎｔ＿ｔｈ＿ｍａｘは５となっており、下限値Ｃｎｔ＿ｔｈ＿ｍｉｎは１となっている。また、ワンセグ優先モードでは、上限値Ｃｎｔ＿ｔｈ＿ｍａｘは１５となっており、下限値Ｃｎｔ＿ｔｈ＿ｍｉｎは１０となっている。
【０１４３】
本実施形態に係る携帯端末１の切替え判定処理について、図１３のフローチャートを参照して説明する。
【０１４４】
図１３に示すように、本実施形態では、閾値Ｃｎｔ＿ｔｈと下限値Ｃｎｔ＿ｔｈ＿ｍｉｎとの比較（ステップＳ１００１）に先だって、下限値Ｃｎｔ＿ｔｈ＿ｍｉｎを取得する処理（ステップＳ１２０１）を行う点が、上記実施形態３のフローチャート（図１０参照）と異なる。
【０１４５】
下限値Ｃｎｔ＿ｔｈ＿ｍｉｎの取得処理では、制御部１１は、まず、動作モードを取得する。動作モードは、記憶部１２に保持されたプログラム上の変数である。動作モードは、例えば１であればフルセグ優先モード、０であればワンセグ優先モードとすることができる。制御部１１は、記憶部１２よりこの動作モードを取得する。動作モードが取得されたら、制御部１１は、閾値範囲テーブル１１００における、動作モードの下限値Ｃｎｔ＿ｔｈ＿ｍｉｎを取得する。
【０１４６】
また、閾値Ｃｎｔ＿ｔｈと上限値Ｃｎｔ＿ｔｈ＿ｍａｘとの比較（ステップＳ１００２）に先だって、上限値Ｃｎｔ＿ｔｈ＿ｍａｘを取得する処理（ステップＳ１２０２）を行う点が、上記実施形態３のフローチャート（図１０参照）と異なる。上限値Ｃｎｔ＿ｔｈ＿ｍａｘについても、上述の下限値Ｃｎｔ＿ｔｈ＿ｍｉｎと同様に、閾値範囲テーブル１１００に設定された現在の動作モードの上限値が取得される。
【０１４７】
以上詳細に説明したように、本実施形態によれば、動作モードを設けることにより、電波状況によって閾値Ｃｎｔ＿ｔｈが変動したとしても、フルセグ放送の視聴を優先したり消費電力を抑えて長時間視聴することを優先したり、ユーザの嗜好にあった適切な切替え判定処理を実現することができる。
【０１４８】
なお、上記各実施形態では、無駄なフルセグチューナ部１６０の起動を抑えるために、フルセグチューナ１６０の起動条件を厳しくする方法として、受信品質が所定の基準を連続して超える時間を調整した。このようにすれば、受信品質の局所的な変動に左右されない、高精度な切替えが可能となるためである。
【０１４９】
しかし、本発明は、これに限られるものではない。基準を厳しくする方法としてワンセグＣＮＲの閾値ＣＮＲ＿ｔｈを調整するようにしてもよい。これにより、判定に要する時間が一定となるため、電波状況が良くなってから切替えが発生するまでの時間が一定となり、ユーザにとっては使い勝手が向上する。
【０１５０】
また、上記各実施形態では、ＣＮＲ、ＢＥＲ及び電界強度を用いてチューナの切り替えを行った。これらは、放送信号の受信品質の指標となるため、適切なタイミングでチューナを切替えることができる。
【０１５１】
なお、ワンセグ放送とハイビジョン放送とでは、電波を受信してから表示するまでの処理量が違うなどの理由により、同じシーンでも表示されるタイミングは１秒から２秒程度ずれてしまう。そのため、視聴する放送を切替えると画面も音声も途切れてしまい、煩わしさを感じるユーザもいる。
【０１５２】
上記各実施形態では、このようなずれを補正すべく、先にデコードが完了して表示可能となった放送（通常は、ハイビジョン放送）の画像データ等をメモリに蓄積し、後からデコードが完了して表示可能となった放送（通常は、ワンセグ放送）のシーンとタイミングを合わせて再生する方法を用いてもよい。しかし、この方法を用いる場合には、大容量のメモリが必要となりコストがかかってしまうので、費用対効果を考慮してメモリを設けるのが望ましい。
【０１５３】
なお、上記各実施形態では、携帯端末１として、携帯電話を例に挙げて説明したが、これには限られない。本実施形態に係る携帯端末１は、モバイル映像表示端末や、携帯型のテレビ受信器などであってもよい。
【０１５４】
なお、上記各実施形態において、制御部１１により実行されるプログラムは、フレキシブルディスク、ＣＤ−ＲＯＭ（Compact Disk Read-Only Memory）、ＤＶＤ（Digital Versatile Disk）、ＭＯ（Magneto-Optical Disk）等のコンピュータ読み取り可能な記録媒体に格納して配布し、そのプログラムをインストールすることにより、上述の処理を実行するシステムを構成することとしてもよい。
【０１５５】
また、プログラムをインターネット等の通信ネットワーク上の所定のサーバ装置が有するディスク装置等に格納しておき、例えば、搬送波に重畳させて、ダウンロード等するようにしても良い。
【０１５６】
また、上述の機能を、ＯＳ（Operating System）が分担して実現する場合又はＯＳとアプリケーションとの協働により実現する場合等には、ＯＳ以外の部分のみを媒体に格納して配布してもよく、また、ダウンロード等してもよい。
【０１５７】
なお、本発明は、上記実施形態及び図面によって限定されるものではない。本発明の要旨を変更しない範囲で実施形態及び図面に変更を加えることができるのはもちろんである。
【産業上の利用可能性】
【０１５８】
本発明は、放送信号を受信する携帯端末に好適である。
【符号の説明】
【０１５９】
１…携帯端末、２…キーボード、３…カーソルキー、４…切替えボタン、５…表示パネル、６…通話用マイク、７…通話用スピーカ、８…スピーカ、１１…制御部、１２…記憶部、１３…操作部、１４…表示部、１５…ワンセグ復調・デコード部、１６…フルセグ復調・デコード部、１７…音声出力部、１８…音声入力部、１９…通信部、２０…バス、２４…タイマ、３１…アンテナ、４１…送出局、４２、４３…エリア、５１、５２…セグメント、１５０…ワンセグチューナ部、１５１…受信器、１５２…ＣＮＲ測定器、１５３…復調器、１５４…ＢＥＲ測定器、１５５…ＣＮＲ出力線、１５６…ＢＥＲ出力線、１５７…ＴＳ出力線、１５９…ワンセグデコード部、１６０…フルセグチューナ部、１６１…受信器、１６２…ＣＮＲ測定器、１６３…復調器、１６４…ＢＥＲ測定器、１６５…ＣＮＲ出力線、１６６…ＢＥＲ出力線、１６７…ＴＳ出力線、１６８…デスクランブル部、１６９…フルセグデコード部、１１００…閾値範囲テーブル
【図１】
2011103539.tif 000003
【図２】
2011103539.tif 000004
【図３】
2011103539.tif 000005
【図４】
2011103539.tif 000006
【図５】
2011103539.tif 000007
【図６】
2011103539.tif 000008
【図７】
2011103539.tif 000009
【図８】
2011103539.tif 000010
【図９】
2011103539.tif 000011
【図１０】
2011103539.tif 000012
【図１１】
2011103539.tif 000013
【図１２】
2011103539.tif 000014
【図１３】
2011103539.tif 000015